(57)【要約】      （修正有）【課題】居間のイメージにも調和する供養具を提供する。【解決手段】内部に空間部３を有する箱体２と、箱体の前壁部２ａに形成した、空間部３に連通する前壁部側開口部５と、箱体の後壁部２ｂに形成した、空間部３に連通する後壁部側開口部６と、後壁側開口部を着脱自在に塞ぐ蓋部７とよりなり、蓋部の内側面を写真８が着脱自在に取り付け可能に形成した。また、箱体に、遺灰又は遺骨収納手段を設けた。【選択図】図３
0003208972.tif 000002
【実用新案登録請求の範囲】
【請求項１】
内部に空間部を有する箱体と、
該箱体の前壁部に形成した、前記空間部に連通する前壁部側開口部とよりなり、
該箱体内の後壁部の内側面を又は、この後壁部の内側に設けた板部材の内側面を写真が着脱自在に取り付け可能に形成した供養具。
【請求項２】
内部に空間部を有する箱体と、
該箱体の前壁部に形成した、前記空間部に連通する前壁部側開口部と、
前記箱体の後壁部に形成した、前記空間部に連通する後壁部側開口部と、
該後壁側開口部を着脱自在に塞ぐ蓋部とよりなり、
該蓋部の内側面を写真が着脱自在に取り付け可能に形成した供養具。
【請求項３】
前記箱体に、遺灰又は遺骨収納手段を設けたことを特徴とする請求項１又は２に記載の供養具。
【請求項４】
前記箱体の形状は、直方体状である請求項１乃至３のいずれか１に記載の供養具。
【請求項５】
前記箱体の形状は、下部が直方体状であり、上部が半円柱状に形成されている請求項１乃至３のいずれか１に記載の供養具。
【請求項６】
前記箱体の形状は、家または教会の形状に形成されている請求項１乃至３のいずれか１に記載の供養具。
【請求項７】
前記前壁部側開口部は、その幅が、前記前壁部の表面の幅の１／３以下に形成されている請求項１乃至６のいずれか１に記載の供養具。
【請求項８】
前記前壁部側開口部は、その高さが、前記前壁部の表面の高さの１／２以下の大きさに形成されている請求項１乃至７のいずれか１に記載の供養具。
【請求項９】
前記遺灰又は遺骨収納手段は、手元供養具を収納可能である請求項１乃至８のいずれか１に記載の供養具。
【請求項１０】
前記箱体に、前記空間部の照明手段を設けた請求項１乃至９のいずれか１に記載の供養具。
【請求項１１】
少なくとも、前記前壁部の表面、前記前壁側開口部の側面及び前記後壁側開口部の側面の一つが後方に向かって傾斜していること請求項２乃至１０のいずれか１に記載の供養具
【請求項１２】
前記前壁部側開口部を塞ぐ蓋部を更に設けた請求項１乃至１１のいずれか１に記載の供養具。
【考案の詳細な説明】
【技術分野】
【０００１】
本考案は供養具、特に、自宅の居間などにおいても、室内のイメージに調和する、故人を供養する供養具に関するものである。
【背景技術】
【０００２】
従来、自宅に仏壇を置き、故人の冥福を祈ったり、故人を身近に感じたり、思い出したりする。
【０００３】
また、仏壇を小型化した、持ち運び可能な供養壇を自宅に置いて、故人を供養するような場合もある。
【０００４】
このような供養壇として例えば、特許文献１がある。
【先行技術文献】
【特許文献】
【０００５】
【特許文献１】実用新案登録第３１５３７９９号公報
【考案の概要】
【考案が解決しようとする課題】
【０００６】
しかしながら、前記従来の仏壇を小型化した供養壇は、外観上、小型の仏壇の形状であるから、自宅の居間のイメージに合わない場合がある。
【０００７】
本考案は、自宅の居間などのイメージを壊さず、仏壇に代わる簡単に故人の冥福を祈ることができる供養具を提供することを目的とする。
【課題を解決するための手段】
【０００８】
本考案は前記の目的を達成すべく、内部に空間部を有する箱体と、該箱体の前壁部に形成した、前記空間部に連通する前壁部側開口部とよりなり、該箱体内の後壁部の内側面を又は、この後壁部の内側に設けた板部材の内側面を写真が着脱自在に取り付け可能に形成した。
【考案の効果】
【０００９】
本考案の供養具によれば、居間などのイメージに調和し、簡単に故人の冥福を祈ることができる供養具が得られる。
【図面の簡単な説明】
【００１０】
【図１】本考案の実施例１の供養具の正面からみた斜視図である。
【図２】図１のＸ−Ｘ線截断面図である。
【図３】図１のＹ−Ｙ線截断面図である。
【図４】該供養具の背面からみた斜視図である。
【図５】該供養具の背面から蓋部を外した状態を示す斜視図である。
【図６】該蓋部の斜視図である。
【図７】該供養具の底面からみた斜視図である。
【図８】該供養具の底面から遺灰又は遺骨収納具を外した状態を示す斜視図である。
【図９】該遺灰又は遺骨収納具の斜視図である。
【図１０】本考案の変形例１の供養具の正面からみた斜視図である。
【図１１】本考案の変形例２の供養具の正面からみた斜視図である。
【図１２】本考案の変形例３の供養具の正面からみた斜視図である。
【図１３】本考案の変形例３の供養具の蓋部を外した状態を示す斜視図である。
【図１４】本考案の変形例３の供養具の蓋部及び板部材を外した状態の斜視図である。
【図１５】本考案の変形例３の他の例の供養具の正面からみた斜視図である。
【図１６】本考案の変形例４の供養具の正面からみた斜視図である。
【図１７】本考案の変形例４の供養具の蓋部と板部材を外した状態の斜視図である。
【考案を実施するための形態】
【００１１】
以下、図面によって本考案の実施例を説明する。
【実施例１】
【００１２】
本考案の供養具の実施例１を図１乃至図９によって説明する。
【００１３】
１は、本考案の供養具を示し、該供養具１は、例えば、幅２０センチ、高さ３０センチ、奥行き２０センチの直方体状の箱体２よりなり、該箱体２の内部に空間部３が形成されている。
【００１４】
該空間部３は、図２及び図３に示すように、例えば、直方体状の空間であり、該空間部３内の前記箱体２の後壁部２ｂの下部に階段状装飾部４を形成する。
【００１５】
なお、前記箱体２は、例えば、プラスチック製、或いは大理石製よりなる。また、該箱体２は持ち運び可能である。
【００１６】
５は、図１に示すように、前記箱体２の前壁部２ａに形成した、前記空間部３に連通した矩形状の前壁部側開口部を示し、該開口部５は、前記前壁部２ａの略中央部に形成されている。
【００１７】
なお、該開口部５の幅は、前記前壁部２ａの表面の幅の１／３以下が好ましい。また、該開口部５の高さは、前記前壁部２ａの表面の１／２以下が好ましい。そして、前記前壁部２ａの表面の面積に比べて、前記開口部５の面積が小さく形成されているのが好ましい。
【００１８】
このように前記開口部５を小さく形成することにより、前記箱体２の前壁部２ａの表面の斜め横から前記開口部５を覗いても、前記開口部５から前記空間部３内の奥が見づらく、他方、該前壁部２ａの表面の正面から前記開口部５を覗いた時のみ、前記開口部５から前記空間部３内の奥、即ち、後述する写真８が見えるようになる。
【００１９】
また、前記前壁部側開口部５の側面５ａは、前記前壁部２ａの表面から裏面に至るまで、徐々に開口が狭くなるように、傾斜して形成し、実際以上の奥行きが感じられるようにする。なお、この傾斜は、前記側面５ａの一部、例えば、左右の側面のみ形成するようにしてもよい。
【００２０】
６は、図４及び図５に示すように、前記箱体２の後壁部２ｂに形成した、前記空間部３に連通した後壁部側開口部を示し、７は、図６に示すように、該開口部６を着脱自在に塞ぐ板状の蓋部を示し、該蓋部７の前記空間部３側の内側面７ａは、遺影などの写真８が取り付け可能に形成されている。
【００２１】
なお、前記後壁部側開口部６の両側面６ａを、後方にいくに従って幅が徐々に狭くなるように形成し、実際以上の奥行きが感じられるようにしてもよい。
【００２２】
９は、図７及び図８に示すように、前記箱体２の底板部２ｃの底面に形成された凹部であり、該凹部９に、図９に示すように、遺灰又は遺骨収納手段である、着脱自在な遺灰又は遺骨収納具１０を設ける。
【００２３】
該遺灰又は遺骨収納具１０は、図９に示すように、ベース部１１と、このベース部１１の上面に設けた、例えば２つの遺灰又は遺骨収納ケース１２、１２とよりなり、該各遺灰又は遺骨収納ケース１２内に遺灰又は遺骨を収納できる。
【００２４】
なお、前記遺灰又は遺骨収納具１０の他の実施例として、遺灰又は遺骨を入れたペンダントなどの装身具からなる手元供養具を収納できるケースであってもよい。
【００２５】
また、前記遺灰又は遺骨収納ケース１２内に遺品などを収納できるようにしてもよい。なお、前記箱体２に、別途、遺品等を収納できる収納部を形成するようにしてもよい。
【００２６】
なお、前記空間部３内の天井面に照明灯（図示せず）などの照明手段を設け、必要に応じて、前記空間部３内を明るくできるようにしてもよい。また、前記照明灯により、前記空間部３内の色を調整できるようにしてもよい。
【００２７】
また、前記照明灯の代わりに、前記箱体２の天井壁部２ｄに複数の貫通孔（図示せず）を設け、この貫通孔による照明手段により、自然光が前記空間部３内に入るようにして、該空間部３内を明るくできるようにしてもよい。
【００２８】
次に本考案の供養具の使用方法及びその効果について説明する。
【００２９】
前記箱体２から遺灰又は遺骨収納具１０を取り外し、該遺灰又は遺骨収納具１０の遺灰又は遺骨収納ケース１２に故人の遺灰又は遺骨を入れ、該遺灰又は遺骨の入った前記遺灰又は遺骨収納具１０を前記箱体２に固定する。なお、前記各遺灰又は遺骨収納ケース１２、１２に異なる故人の遺灰又は遺骨を入れるようにしてもよい。
【００３０】
また、前記箱体２から、前記蓋部７を取り外し、該蓋部７の内側面７ａに、例えば、お花畑にいる生前の故人が写った、生前の思い出となる写真８を取付け、前記箱体２に固定する。
【００３１】
なお、この供養具１の周囲には仏具を置かないことが好ましい。
【００３２】
そして、この直方体状の箱体２よりなる供養具１を居間などのテーブルなどに載置する。
【００３３】
これにより、自宅に仏壇をおかなくても、家族は家にいて、故人の存在を常に身近に感じることができるようになる。
【００３４】
また、前記供養具２は、外見上は、単なる箱であり、前記箱体２の前壁部２ａ以外から該箱体２を見た時には、前記開口部５から前記空間部３内の奥が見づらい。従って、故人を供養するための供養具であることが分からないので、居間のイメージにも調和するようになる。
【００３５】
従って、例えば、来訪者であっても、供養具の存在を簡単に知ることはできない。  
【００３６】
そして、前記箱体２の該前壁部２ａの正面から、前記開口部４を覗き込むだけで、前記空間部の奥に位置する故人の写真８を見ることができるようになり、簡単に、故人の冥福を祈ることができるようになる。
【００３７】
さらに、前記空間部３を介して写真に写った故人を見ることができるので、該空間部３により別世界をイメージさせながら、故人を思い出すことができるようになる。
【００３８】
なお、前記前壁側開口部５の大きさは、前記写真８と前記階段状装飾部４が丁度見える大きさにするのが好ましい。
【００３９】
また、図１０は本実施例１の変形例１を示し、この変形例１の場合には、前記供養具１の形状は、例えば、下部１３ａが直方体状であり、これに連設する上部１３ｂが半円柱状の箱体１３である。
【００４０】
なお、前記供養具１の形状は、家の形状であったり、教会の形状であったりしてもよい。
【００４１】
また、図１１は本実施例１の変形例２を示し、前記前壁部側開口部５の側面５ａを傾斜させる代わりに、前記供養具１の前壁部２ａの表面を、周縁側から前記前壁部側開口部に向かって徐々に後方に傾斜させ、実際以上の奥行きが感じられるようにしてもよい。
【００４２】
なお、前記前壁部２の表面を傾斜させると共に、前記前壁部側開口部５の側壁を傾斜させ、更に、前記後壁側開口部６の側面を傾斜させ、外から内部の写真８を見たときに、実際以上の奥行きが感じられるようにし、別世界感を際立たせてもよい。
【００４３】
また、図１２乃至図１４は本実施例１の変形例３を示し、この変形例３におしては、前記箱体２の後壁部２ｂに後壁部側開口部６及び蓋部７を設ける代わりに、前記箱体２の天井壁部２ｄに、前記空間部３に連通した天井部側開口部１４と、該開口部１４から前記空間部３内に挿入される、その内側面に遺影などの写真８が取り付け可能に形成された板部材１５と、この開口部６を着脱自在に塞ぐ板状の蓋部１６とを設ける。
【００４４】
また、前記空間部３の幅を、前記前壁部開口部５の幅と同じとし、また、前壁部２ａの表面を、周縁側から前記前壁部側開口部５に向かって徐々に後方に傾斜させる。
【００４５】
なお、前記板部材１５を設ける代わりに、前記箱体２内の後壁部２ｂの内側面に、遺影などの写真８を取り付け可能に形成してもよい。
【００４６】
また、図１５に示すように、前記蓋部１６に、前記前壁部開口部５を塞ぐ蓋部１７を連設して、該蓋部１７を装着した場合には、内部が見えないようにしてもよい。
【００４７】
また、図１６及び図１７は、本実施例１の変形例４を示し、この変形例４においては、前記変形例３において、空間部３を階段状に形成し、奥の空間部３に天井壁部２ｄまで伸びる板部材１５を挿入するようにし、残りの開口部１４を蓋部１５で塞ぐようにしてもよい。
【産業上の利用可能性】
【００４８】
本考案の供養具は、家の内のいずれの場所にも違和感なく置くことができる。
【符号の説明】
【００４９】
１      供養具
２      箱体
２ａ    前壁部
２ｂ    後壁部
２ｃ    底面部
２ｄ    天井壁部
３      空間部
４      階段状装飾部
５      開口部
５ａ    側面
６      開口部
６ａ    側面
７      蓋部
７ａ    内側面
８      写真
９      凹部
１０    遺灰又は遺骨収納具
１１    ベース部
１２    遺灰又は遺骨収納ケース
１３    箱体
１３ａ  下部
１３ｂ  上部
１４    開口部
１５    板部材
１６    蓋部
１７    蓋部
【図１】
0003208972.tif 000003
【図２】
0003208972.tif 000004
【図３】
0003208972.tif 000005
【図４】
0003208972.tif 000006
【図５】
0003208972.tif 000007
【図６】
0003208972.tif 000008
【図７】
0003208972.tif 000009
【図８】
0003208972.tif 000010
【図９】
0003208972.tif 000011
【図１０】
0003208972.tif 000012
【図１１】
0003208972.tif 000013
【図１２】
0003208972.tif 000014
【図１３】
0003208972.tif 000015
【図１４】
0003208972.tif 000016
【図１５】
0003208972.tif 000017
【図１６】
0003208972.tif 000018
【図１７】
0003208972.tif 000019
【手続補正書】
【提出日】平成28年12月19日(2016.12.19)
【手続補正１】
【補正対象書類名】実用新案登録請求の範囲
【補正対象項目名】全文
【補正方法】変更
【補正の内容】
【実用新案登録請求の範囲】
【請求項１】
内部に空間部を有する箱体と、
該箱体の前壁部に形成した、前記空間部に連通する前壁部側開口部とよりなり、
該箱体内の後壁部の内側面を又は、この後壁部の内側に設けた板部材の内側面を写真が着脱自在に取り付け可能に形成した供養具。
【請求項２】
内部に空間部を有する箱体と、
該箱体の前壁部に形成した、前記空間部に連通する前壁部側開口部と、
前記箱体の後壁部に形成した、前記空間部に連通する後壁部側開口部と、
該後壁部側開口部を着脱自在に塞ぐ蓋部とよりなり、
該蓋部の内側面を写真が着脱自在に取り付け可能に形成した供養具。
【請求項３】
前記箱体に、遺灰又は遺骨収納手段を設けたことを特徴とする請求項１又は２に記載の供養具。
【請求項４】
前記箱体の形状は、直方体状である請求項１乃至３のいずれか１に記載の供養具。
【請求項５】
前記箱体の形状は、下部が直方体状であり、上部が半円柱状に形成されている請求項１乃至３のいずれか１に記載の供養具。
【請求項６】
前記箱体の形状は、家または教会の形状に形成されている請求項１乃至３のいずれか１に記載の供養具。
【請求項７】
前記前壁部側開口部は、その幅が、前記前壁部の表面の幅の１／３以下に形成されている請求項１乃至６のいずれか１に記載の供養具。
【請求項８】
前記前壁部側開口部は、その高さが、前記前壁部の表面の高さの１／２以下の大きさに形成されている請求項１乃至７のいずれか１に記載の供養具。
【請求項９】
前記遺灰又は遺骨収納手段は、手元供養具を収納可能である請求項３に記載の供養具。
【請求項１０】
前記箱体に、前記空間部の照明手段を設けた請求項１乃至９のいずれか１に記載の供養具。
【請求項１１】
少なくとも、前記前壁部の表面、前記前壁部側開口部の側面及び前記後壁部側開口部の側面の一つが後方に向かって傾斜していること請求項２に記載の供養具
【請求項１２】
前記前壁部側開口部を塞ぐ蓋部を更に設けた請求項１乃至１１のいずれか１に記載の供養具。